(57)【要約】 【課題】製造のコストダウンを図ること。【解決手段】貫通空間Ｓを有する内部に所定間隔離間して形成され、かつそれぞれ同一経口の嵌合部５を有する内外一対の取付け座２Ａ、２Ｂと、嵌合部にそれぞれ外端部２３が螺着可能な複数本の連結柱２１と、扉１の内面１ａに添設される内側基板１０Ａと、内側基板を貫通し、かつ複数本の連結柱の内端部２２にそれぞれ螺着することにより、内側基板１０Ａと外側取付け座と２Ｂを結合する複数本の締め付け手段２５と、内側取付け座を内側基板に固定する複数本の固定手段２６とから成る内外把手用の内外取付け座ユニット。【選択図】図１
2008240436.tif 000002
【特許請求の範囲】
【請求項１】
貫通空間を有する内部に所定間隔離間して形成され、かつそれぞれ同一経口の嵌合部を有する内外一対の取付け座と、前記嵌合部にそれぞれ外端部が嵌合自在な複数本の連結柱と、扉の内面に添設される内側基板と、この内側基板を貫通し、かつ前記複数本の連結柱の内端部にそれぞれ螺着することにより、内側基板と前記外側取付け座とを扉を介して一体的に結合する複数本の締め付け手段と、前記内側取付け座を内側基板に固定する複数本の固定手段とから成る内外取付け座ユニット。
【請求項２】
請求項１に於いて、連結柱は、もっぱら内側基板と外側取付け座を連結するために用いられ、その内端部には、扉の内壁面側から内側基板を貫通する締め付け手段と螺合する内側螺合部２２が形成され、一方、その外端部には、外側取付け座に直接或いは間接的に螺合する外側螺合部２３が形成されていることを特徴とする内外取付け座ユニット。
【請求項３】
請求項１に於いて、貫通空間には、軸受け部材、作動レバー、この作動レバー用支軸及び作動レバー用復帰バネが組み込まれることを特徴とする内外取付け座ユニット。
【請求項４】
請求項１に於いて、貫通空間を形成するハンドル装着側端面４の開口４ａには、貫通空間Ｓに組み込まれた作動レバー用復帰バネの一端部を支持するバネ用の支持板（連結板）が嵌め込まれていることを特徴とする内外取付け座ユニット。
【請求項５】
請求項１乃至請求項４のいずれかに於いて、取付け座ユニットは、貫通空間に組み込まれた作動レバーを介してプッシュ・プルハンドルに用いられることを特徴とする内外取付け座ユニット。
【請求項６】
請求項１に於いて、連結柱は、大径柱部分２１ａと、この大径柱部分２１ａに連続する小径部分２１ｂとから成り、前記大径柱部分２１ａの内端部には、内側基板を貫通する締め付け手段と螺合する内側螺合部２２が形成され、一方、前記小径部分２１ｂの外端部には、外側取付け座側のネジ部と螺合する外側螺合部２３がそれぞれ形成されていることを特徴とする内外取付け座ユニット。
【請求項７】
扉の内外の壁面に内外取付け座ユニットを固定する扉の壁面に対する内外取付け座ユニットの固定方法に於いて、外側の連結柱２１の外端部２３を外側取付け座２Ｂ側のネジ部（３６ａ、３６Ａ）に螺着した状態で、外側取付け座の取付け端面３を扉１の外面１ｂにあてがうように、かつ前記連結柱２１の内端部２２を扉１ないし錠箱に嵌入し、次に、内側基板１０Ａを扉の内壁面１ａに添設して、かつ複数本の締め付け手段２５を該内側基板の第１貫通孔１３に差込みながら前記連結柱の内端部２２に螺合させて内側基板１０Ａと外側取付け座２Ｂとを扉１を介して一体的に結合し、しかる後に、前記内側取付け座２Ａを内側基板１０Ａに嵌合した状態で、複数本の固定手段２６を内側取付け座の固着具用孔７及び前記内側基板に形成した第２に貫通孔１６に差し込んで、内側基板１０Ａに内側取付け座２Ａを固定することを特徴とする扉の壁面に対する内外取付け座ユニットの固定方法。
【発明の詳細な説明】
【技術分野】
【０００１】
本発明は、内外把手用の内外取付け座ユニット及び扉の壁面に対する内外取付け座ユニットの固定方法に関する。
【背景技術】
【０００２】
特許文献１の図２には、「ハンドル用の内外一対の取付け座７と、これらの取付け座７とは別個独立であり、かつ、扉に嵌入された所定長さの複数本の連結柱９と、前記内外一対の取付け座７の外側からそれぞれ差し込まれ、かつ、前記連結柱（ネジ管）９の両端部に形成されたメネジ部とそれぞれ螺合する複数本の締め付け手段（オネジ）１６と、少なくとも一方の取付け座７の内面と扉２の壁面との間に介在する回り止め用の基板１２とから成る内外把手用の内外取付け座ユニット」が記載されているものと認められる。
【０００３】
付言すると、特許文献１の図２に記載の内外一対の取付け座７は、同一構造と認められるから、同一の金型で成形されたものと推認することができる。したがって、内外一対の取付け座７の製作については、コストダウンを図ることができるといえよう。
【０００４】
しかしながら、特許文献１の発明の課題は、扉の内部に位置するラッチ本体（ラッチボルト５のこと）に係合して、その相対回動を規制する回り止め用の基板１２を取付け座７用の締め付け手段（オネジ）１６を介して固定することである。したがって、内外一対の取付け座７の形態、取付け座７の内部構成、連結柱９、内側取付け座用の内側基板等の構成に関しては、特別な工夫が施されていない。なお、用語の符号は、特許文献１の符号をそのまま用いている。
【特許文献１】特開２００２−３８７７２号公報
【発明の開示】
【発明が解決しようとする課題】
【０００５】
本発明の第１の目的は、特許文献１と同様に内外の取付け座の形状及び構造の共通にして、製造におけるコストダウンを図ることである。第２の目的は、各構成部材を扉の内外の壁面に順序良く、かつ、一体的に結合することである。第３の目的は、内外の取付け座の各貫通空間に、必要に応じて扉内のラッチ錠ないし扉外の把手を結びつける作動レバーを含む複数個の構成部材を組み込むことができることである。なお、ラッチ錠側に関係のない把手連結用の作動レバーを含む複数個の構成部材を各貫通空間に組み込むこともできる。第４の目的は、プッシュ・プルハンドルに適合することである。
【課題を解決するための手段】
【０００６】
本発明の内外把手用の内外取付け座ユニットは、貫通空間を有する内部に所定間隔離間して形成され、かつそれぞれ同一経口の嵌合部を有する内外一対の取付け座と、前記嵌合部にそれぞれ外端部が嵌合自在な複数本の連結柱と、扉の内面に添設される内側基板と、この内側基板を貫通し、かつ前記複数本の連結柱の内端部にそれぞれ螺着することにより、内側基板と前記外側取付け座とを扉を介して一体的に結合する複数本の締め付け手段と、前記内側取付け座を内側基板に固定する複数本の固定手段とから成ることを特徴とする。
【０００７】
また、本発明の扉の壁面に対する内外取付け座ユニットの固定方法は、扉の内外の壁面に内外取付け座ユニットを固定する扉の壁面に対する内外取付け座ユニットの固定方法に於いて、外側の連結柱２１の外端部２３を外側取付け座２Ｂ側のネジ部（３６ａ、３６Ａ）に螺着した状態で、外側取付け座の取付け端面３を扉１の外面１ｂにあてがうように、かつ前記連結柱２１の内端部２２を扉１ないし錠箱に嵌入し、次に、内側基板１０Ａを扉の内壁面１ａに添設して、かつ複数本の締め付け手段２５を該内側基板の第１貫通孔１３に差込みながら前記連結柱の内端部２２に螺合させて内側基板１０Ａと外側取付け座２Ｂとを扉１を介して一体的に結合し、しかる後に、前記内側取付け座２Ａを内側基板１０Ａに嵌合した状態で、複数本の固定手段２６を内側取付け座の固着具用孔７及び前記内側基板に形成した第２に貫通孔１６に差し込んで、内側基板１０Ａに内側取付け座２Ａを固定することを特徴とする。
【発明の効果】
【０００８】
（ａ）特許文献１と同様に内外の取付け座の形状及び構造の共通にして、製造のコストダウンを図ることができる。
（ｂ）内外取付け座ユニットの各構成部材を扉の壁面に順序良く、かつ、一体的に結合することができる。実施例では、「外側の連結柱２１の外端部２３を外側取付け座２Ｂ側のネジ部（３６ａ、３６Ａ）に螺着した状態で、外側取付け座２Ｂの取付け端面３を扉１の外面１ｂにあてがうように、前記連結柱２１の内端部２２を扉１ないし錠箱に嵌入し、次に、内側基板１０Ａを扉１の内壁面１ａに添設して、かつ複数本の締め付け手段２５を該内側基板１０Ａの第１貫通孔１３に差込みながら前記連結柱２１の内端部２２に螺合させて、内側基板１０Ａと外側取付け座２Ｂとを扉１を介して一体的に結合し、しかる後に、前記内側取付け座２Ａを内側基板１０Ａに嵌合した状態で、複数本の固定手段２６を内側取付け座２Ａの固着具用孔７及び前記内側基板１０Ａに形成した第２に貫通孔１６に差し込んで、内側基板１０Ａに内側取付け座２Ａを固定すること（ここでは、これを「扉の壁面に対する内外取付け座ユニットの固定方法」という。）」ができる。
（ｃ）内外の取付け座の各貫通空間に扉内のラッチ錠ないし扉外の把手を結びつける作動レバーを含む複数個の構成部材を組み込むことができる。
【発明を実施するための最良の形態】
【０００９】
以下、図１乃至図１３に示す本発明の内外取付け座ユニットＸを実施するための最良の形態により説明する。
【００１０】
（１）扉１
扉１は、例えばその基端部側の縦框が蝶番を介して戸枠に枢着され、水平方向に回転する。また、扉１の自由端部には、図示しないラッチ錠が組み込まれている。さらに、扉１の内外面には、例えば内外のプッシュ・プルハンドルが内外の取付け座を介してそれぞれ装着される。プッシュ・プルハンドルをプッシュ（押す）又はプル（引く）すると、プッシュ・プルハンドルに直接又は間接的に取付けられた揺動軸或いは作動リンク並びに錠箱内の連動片を介してラッチ錠のラッチボルトが扉の自由端面を基準にして出没する。
【００１１】
さて、扉１には、内外の取付け座の形状や構造に対応して、錠用孔、連結柱用通孔などが適宜に形成されているが、図１では割愛している。ここでは、図１を参照にして、左側を室内とし、一方、右側を室外とする。したがって、１ａは扉１の内面、１ｂは扉の外面である。
【００１２】
（２）内外の取付け座２Ａ、２Ｂ
内外一対の取付け座２Ａ、２Ｂは、扉１を挟み付けるよう扉の内外面１ａ、１ｂに添設される。本実施例の内外の取付け座２Ａ、２Ｂは、ローコスト化を図るために、図示しない同一金型で成形される。
【００１３】
したがって、内外の取付け座２Ａ、２Ｂは、成形時、同一形状及び同一構造である。但し、内側の取付け座２Ａと外側の取付け座２Ｂとの相違は、防犯上の理由から、内側の取付け座２Ａには複数個の固着具２６用孔７が形成されるが、外側の取付け座２Ｂには前記固着具用孔が形成されていない。
【００１４】
仮に、成形時に取付け座２Ａ、２Ｂに固着具用孔を形成した場合には、意匠上の観点から、外側の取付け座２Ｂの固着具用孔はめくら状に塞がれる。本実施例では、取付け座２Ａ、２Ｂを成形した後、少なくとも施工時、一方（内側）の取付け座２Ａに固着具２６用孔７を形成する。
【００１５】
であるから、基本的には、成形時、内外の取付け座２Ａ、２Ｂは、固着具用孔７の有無を除き、主たる点に於いて、同一形状及び同一構造である。
【００１６】
ここで、内外の取付け座２Ａ、２Ｂの同一形状及び同一構造の主たる共通点を述べると、周壁の外観形状がすい台、角台、跳び箱形状、球台など任意の台形に形成され、かつ扉１の内外面１ａ、１ｂに当たる取付け端面３が円形又は矩形状に開口３ａしている点、前記取付け端面３に対して反対側に相当するハンドル装着側端面４も円形又は矩形状に開口４ａしている点、内部が取付け端面３の口径が大きい開口３ａとハンドル側端面４の口径が小さい開口４ａとが連通する所要大きさの貫通空間となっている点、内部に上下方向に所定間隔離間して同一経口の上下の嵌合部（例えば貫通孔、メネジ孔など）５が一対形成されている点、上下一対の嵌合部５の大きい開口３ａ側の内壁には、蓋板１０Ａ、１０Ｂ用の複数個（合計４個）の連結突起６が延在している点、さらに、本実施例では、前記開口３ａ、開口４ａを形成する貫通空間Ｓに、後述する軸受け部材３１、作動レバー３４、この作動レバー用固定支軸３２や可動連結軸３３及び作動レバー用復帰バネ３５が組み込まれる点、加えて、貫通空間Ｓのハンドル装着側端面４の開口４ａには、前記復帰バネ３５の一端部を支持するバネ用の支持板（連結板）３６が嵌め込まれている点である。そして、本実施例では、前記バネ用の支持板（連結板）３６に連結柱２１の外側螺合部２３が螺合する複数個のネジ部（メネジ部）が形成されている。
【００１７】
このように、本実施例の内外の取付け座２Ａ、２Ｂは、貫通空間Ｓ内に軸受け部材、支軸等を介して作動レバー３４を配設し、この作動レバー３４に把手（例えばプッシュ・プルハンドル）５１を直接又は間接的に連結する。
【００１８】
しかして、内外の取付け座２Ａ、２Ｂの周壁は、口径が大きい開口３ａを有する多角形状の第１周壁２ａと、この第１周壁２ａに段差状に連設すると共に、口径が小さい開口４ａを有する多角形状の第２周壁２ｂとから成り、内側の取付け座２Ａの前記第１周壁２ａの左右壁の中央部にだけ、前述した固着具用孔７がそれぞれ形成されている。
【００１９】
（３）内外の基板１０Ａ、１０Ｂ
本実施例では、内外の基板１０Ａ、１０Ｂは同一形状ではない。その理由は、内側基板１０Ａは、扉１を介して外側取付け座２Ｂを結合する手段を構成することから、発明の本質的事項（特定要件）であるのに対して、外側基板１０Ｂは、蓋板としての役割しかないので、発明の非本質的事項（任意的要件）と考えられるからである。
【００２０】
したがって、外側基板１０Ｂは、ユニットして不要であり、仮にユニットの一つとして加える場合には、本実施例のように内側基板１０Ａの形状と外側基板１０Ｂのそれとを異なるものにしても良い。もちろん、両基板１０Ａ、１０Ｂを同一形状にしても良い。
【００２１】
さて、図２を参照にして、内側基板１０Ａの構成について説明すると、１１は扉１の内面１ａに固定される縦長状のベース部分で、このベース部分１１の中央部には任意形状（例えば四角）の内側作動レバー用窓孔１２が形成されている。また、ベース部分１１の上下端部寄りの部位（連結柱２１の内側螺合部２２に対応する部位）には、それぞれ締め付け手段２５用の第１貫通孔１３が形成されている。
【００２２】
また、ベース部分１１の突起状上下端部の左右部位には、内側取付け座１０Ａの連結突起６と符合する貫通孔１４（任意事項）が形成され、さらに、ベース部分１１の左右端部を内側に所要量折り曲げて形成された左右一対の端板部分１５には、固定手段用の第２貫通孔１６がそれぞれ形成されている。
【００２３】
次に、図３を参照にして、外側基板１０Ｂの構成について説明する。外側基板１０Ｂは、その縦長状のベース部分１１Ａが内側基板１０Ａに共通する（説明の便宜上同様の符号を付す）。図３から明らかなように、外側基板１０Ｂは左右の端板部分は存在しない。
【００２４】
しかして、１２Ａは外側作動レバー用窓孔、１３Ａは上下一対の連結柱２１用第１貫通孔、これらの第１貫通孔１３Ａには扉１ないし不番の錠箱に嵌入する連結柱２１の大径部分が直接貫通する（図７参照）。１４Ａはベース部分１１Ａの上下端部の左右部位（第１貫通孔１３Ａよりも外端部）にそれぞれ形成され、かつ外側取付け座１０Ｂの連結突起６と符合する貫通孔（任意事項）である。
【００２５】
付言すると、外の基板１０Ｂは、外の取付け座２Ｂの連結突起６に、基板１０Ｂの貫通孔１４Ａを介して螺合する複数個の固着具１７により、取付け座２Ｂの大きい開口３ａに蓋板として一体的に合体する。
【００２６】
（４）連結柱２１
図１、図３及び図７を参照にして一対の連結柱２１を説明する。本実施例の連結柱２１は、同一形状及び同一構造のものが、合計２本存在する。図３で示すように、連結柱２１は、所定長さの棒状体に形成されていると共に、大径柱部分２１ａと、この大径柱部分２１ａに連続する小径部分２１ｂに区分けすることができる。
【００２７】
しかして、図１、図７で示すように、大径柱部分２１ａは、外側基板１０Ｂの第１貫通孔１３Ａを介して扉１乃至錠箱に嵌入し、その内端部は錠箱を貫通して扉１の内面１ａ或いはその付近に至る。この大径柱部分２１ａの内端部には、内側螺合部（例えばメネジ部）２２が所要量形成されている。一方、小径部分２１ｂは、外側取付け座２Ｂ側の支持板３６のメネジ部３６ａに螺入する（図４、図１０参照）。したがって、この実施例では、小径部分２１ｂの外周面には、外側取付け座２Ｂに嵌合する支持板３６のメネジ部３６ａと螺合する外側螺合部（例えばオネジ部）２３が形成されている。
【００２８】
（５）締め付け手段２５
図２及び図７を参照にして、締め付け手段２５を説明する。本実施例では、締め付け手段２５は、図２で示すように、合計２本の固着具（オネジ）である。これらの締め付け手段２５は、図７で示すように、内側基板１０Ａの上下の締め付け手段用第１貫通孔１３にそれぞれ差し込まれ、かつ、上下の連結柱２１の内螺合部２２にそれぞれ螺合する。締め付け手段２５を締め付けると、内側基板１０Ａと外側取付け座２Ｂは、扉１を挟んだ状態で間接的に結合する。
【００２９】
（６）固定手段２６
一方、図２で示す符号２６は、締め付け手段２５と同様に固着具であっても、内側基板１０Ａの左右の端板部分１５に外嵌合する内側取付け座２Ａを内側基板１０Ａに固定する固定手段である。固定手段２６は、内側の取付け座２Ａの第１周壁２ａの中央部にそれぞれ形成された固着具用孔７に差し込まれ、かつ内側基板１０Ａの第２貫通孔（メネジ孔）１６に螺合する。複数本の固定手段２６をそれぞれ締め付けると、内側取付け座２Ａは内側基板１０Ａに固定的に結合する。
【００３０】
（７）貫通空間Ｓに組み込まれる部材
本実施例の内外の取付け座２Ａ、２Ｂのそれぞれの貫通空間Ｓには、把手用ないしラッチ錠用の幾つかの構成部材が組み込まれる。ここでは、内外の取付け座２Ａ、２Ｂの各貫通空間Ｓにそれぞれ組み込まれる構成部材は共通部材なので、内側取付け座２Ａを示す図１０及び図１１を参照にして説明し、外側取付け座２Ｂを示す図７及び図８には同一の符号を付して重複する説明を省略する。
【００３１】
前述したように、内外の開口３ａ、開口４ａを形成する貫通空間Ｓには、単数又は複数枚の軸受け部材３１、この軸受け部材３１に横設軸架された複数個の固定支軸や可動連結軸３２、３３、これらの軸３２、３３の中の固定支軸３２に中央部が軸支され、かつ、内端部に可動連結軸３３を有する作動レバー３４、この作動レバー３４を復帰させることができるように前記固定支軸３２に中央部が巻装された復帰バネ３５がそれぞれ組み込まれている。
【００３２】
そして、例えば図１０（図７も同じ）で示すように、本実施例では、貫通空間Ｓのハンドル装着側端面４の開口４ａには、作動レバー用復帰バネ３５の一端部を支持するバネ用の支持板（連結板）３６が適宜に嵌め込まれている。
【００３３】
ところで、図１０では、内側の取付け座２Ａの上下の嵌合部５にそれぞれ嵌入した複数本（２本）の内側ネジ部材４１が示されているが、この内側ネジ部材４１の半径は、外側用の連結柱２１の小径部分２１ｂと全く同一である。その理由は、内側取付け座２Ａと外側取付け座２Ｂは、図示しない同一の金型で成形されることから、内外の取付け座の上下メネジ部５は当然同一経口となる。
【００３４】
なお、前記内外のバネ用の支持板（連結板）３６は、図示しない固着具により、内外の取付け座２Ａ、２Ｂにそれぞれ固定しても良いが、例えば連結柱２１の外側螺合部（オネジ部）２３が取付け座２Ａ（２Ｂ）の開口に嵌合した支持板３６のネジ部（メネジ部）３６ａに螺合することにより、各部材が一体的に結合する。
【００３５】
（８）把手の取付け構造
把手の取付け構造については、権利を請求するものでないから、その詳細は割愛する。なお、符号５１は把手の一例としてのプッシュ・プルハンドル、５２はプッシュ・プルハンドルの内側に固定されたカバー体、５３はカバー体の内部から内外の取付け座２Ａ、２Ｂの各貫通空間Ｓへとそれぞれ延在する二股状の駆動連結片である。内外の駆動連結片３５は、それぞれ可動連結軸３３を介して、内外の作動レバー３４にそれぞれ連結されている。
【実施例】
【００３６】
発明の実施の形態で示した実施例に於いて、内外の取付け座２Ａ、２Ｂの周壁の形状は任意事項である。また、外側基板１０Ｂは、蓋板としての役割しかないので、発明の任意的要件である。また、内側基板１０Ａの形状も任意事項である。
【００３７】
さらに、図１４は、連結柱２１と取付け座２Ｂ（２Ａ）との連結構造の設計変更である。この実施例では、取付け座２Ｂ（２Ａ）自体に連結柱２１の外側螺合部２３が螺合するネジ部（オネジ部）３６Ａを形成すると共に、バネ用の支持部３６Ｂも適宜に形成している。このように、発明の目的との関係で、本発明の本質的事項を任意に設計変更できる。
【産業上の利用可能性】
【００３８】
本発明は、主に錠前や建具の業界で利用される。
【図面の簡単な説明】
【００３９】
図１乃至図１３は本発明の最良の実施例を示す各説明図。図１４は要部の設計変更例を示す概略説明図。
【図１】内外取付け座ユニットＸの概略的な分解斜視図。
【図２】内側取付け座２Ａ、内側基板１０Ａ等の説明図。
【図３】外側取付け座２Ｂ、外側基板１０Ｂ等の説明図。
【図４】外側取付け座２Ｂの概略説明図（内側基板１０Ａはこれを援用）。
【図５】外側取付け座２Ｂの横断面説明図（内側基板１０Ａも略同様）。
【図６】取付け端面側から見た外側取付け座２Ｂの説明図（内側基板１０Ａはこれを援用）。
【図７】外側取付け座２Ｂの縦断面説明図からの説明図（連結柱、外側基板、バネ用の支持板（連結板）等の関係を示す）。
【図８】外側取付け座２Ｂの横断面説明図からの説明図（貫通空間に組み込まれた部材を示す）。
【図９】取付け端面側から見た外側取付け座２Ｂの説明図（基板の一部を切欠して示す）。
【図１０】内側取付け座２Ａの縦断面説明図からの説明図（内側ネジ部材、内側基板、バネ用の支持板（連結板）等の関係を示す）。
【図１１】内側取付け座２Ａの横断面説明図からの説明図（貫通空間に組み込まれた部材を示す）。
【図１２】内側基板の説明図。
【図１３】図１２の１３−１３線断面図。
【図１４】設計変更例である外側取付け座２Ｂの概略説明図（内側基板１０Ａはこれを援用）。
【符号の説明】
【００４０】
Ｘ…内外取付け座ユニット、１…扉、１ａ…は扉１の内面、１ｂ…は扉の外面、２Ａ…内側取付け座、２Ｂ…外側取付け座、２ａ…第１周壁、２ｂ…第２周壁、３…取付け端面、３ａ…大きい開口、４…ハンドル装着側端面、４ａ…小さい開口、Ｓ…貫通空間、５…嵌合部、６…連結突起、７…固着具用孔、１０Ａ…内側基板、１１…ベース部分、１２…内側作動レバー用窓孔、１３…締め付け手段用第１貫通孔、１４、１４Ａ…貫通孔、１５…左右一対の端板部分、１６…固定手段用第２貫通孔、１０Ｂ…外側基板、１２Ａ…外側作動レバー用窓孔、１３Ａ…上下一対の連結柱用第１貫通孔、１７…固着具、２１…連結柱、２１ａ…大径柱部分、２１ｂ…小径部分の外周面、２３…外側螺合部（オネジ部）、２２…内側螺合部（例えばメネジ部）、２５…締め付け手段、２６…固定手段、３１…軸受け部材、３２…固定支軸、３３…可動連結軸、３４…作動レバー、３５…復帰バネ、３６…バネ用の支持板（連結板）、３６ａ、３６Ａ…ネジ部、３６Ｂ…支持部、４１…内側ネジ部材、５１…把手、５２…カバー体、５３…駆動連結片。
【図１】
2008240436.tif 000003
【図２】
2008240436.tif 000004
【図３】
2008240436.tif 000005
【図４】
2008240436.tif 000006
【図５】
2008240436.tif 000007
【図６】
2008240436.tif 000008
【図７】
2008240436.tif 000009
【図８】
2008240436.tif 000010
【図９】
2008240436.tif 000011
【図１０】
2008240436.tif 000012
【図１１】
2008240436.tif 000013
【図１２】
2008240436.tif 000014
【図１３】
2008240436.tif 000015
【図１４】
2008240436.tif 000016